(57)【特許請求の範囲】
【請求項１】
有機エレクトロルミネッセンス素子を発光させる発光回路であって、
前記有機エレクトロルミネッセンス素子と順方向極性を同一の方向にして直列に接続された第１ダイオード素子と、
前記有機エレクトロルミネッセンス素子と前記第１ダイオード素子との接続点にて前記有機エレクトロルミネッセンス素子に対し前記第１ダイオード素子とは順方向極性を逆の方向にして接続された第２ダイオード素子と、
駆動電流供給指令に応じて前記有機エレクトロルミネッセンス素子と前記第１ダイオード素子との直列回路に順方向の駆動電流を供給する駆動電流供給手段と、
駆動電流停止指令に応じて前記駆動電流供給手段による前記駆動電流の供給を停止させて前記直列回路に前記有機エレクトロルミネッセンス素子及び前記第１ダイオード素子各々の順方向極性とは逆方向の電圧を印加する駆動電流停止手段と、
前記駆動電流停止手段による前記逆方向の電圧を印加中において前記第２ダイオード素子の前記接続点とは反対側の一端の電位を一時的に変化させて前記有機エレクトロルミネッセンス素子と前記第２ダイオード素子との直列回路に前記有機エレクトロルミネッセンス素子の順方向極性とは逆方向の電圧を発生させる逆バイアス印加手段と、を備えたことを特徴とする発光回路。
【請求項２】
前記駆動電流供給指令及び前記駆動電流停止指令は前記有機エレクトロルミネッセンス素子の発光期間に対応した入力データに応じて生成されることを特徴とする請求項１記載の発光回路。
【請求項３】
前記駆動電流供給手段は、前記第１ダイオード素子の前記接続点とは反対側の一端から前記駆動電流を供給する電流源と、前記駆動電流供給指令に応じて前記有機エレクトロルミネッセンス素子の前記接続点とは反対側の一端を基準電位に等しくさせる第１切換手段と、前記駆動電流供給指令に応じて前記第２ダイオード素子の前記接続点とは反対側の一端を前記基準電位より高い第２電位に等しくさせる第２切換手段と、を有し、
前記駆動電流停止手段は、前記駆動電流停止指令に応じて前記有機エレクトロルミネッセンス素子の前記接続点とは反対側の一端を前記基準電位より高くかつ前記第２電位より低い第３電位に等しくさせる第３切換手段と、前記駆動電流停止指令に応じて前記第２ダイオード素子の前記接続点とは反対側の一端を前記第２電位より高い第１電位に等しくさせる第４切換手段と、を有し、
前記逆バイアス印加手段は、前記第３切換手段によって前記有機エレクトロルミネッセンス素子の前記接続点とは反対側の一端が前記第３電位に等しくされているときに前記第２ダイオード素子の前記接続点とは反対側の一端を一時的に前記基準電位に等しくさせる第５切換手段を有することを特徴とする請求項１記載の発光回路。
【請求項４】
前記駆動電流供給手段は、前記電流源による前記駆動電流の非供給時に前記第１ダイオード素子の前記接続点とは反対側の一端を前記基準電位に等しくさせるスイッチを有することを特徴とする請求項３記載の発光回路。
【請求項５】
前記第１切換手段と前記第３切換手段とは単一の第１切換スイッチによって構成され、前記第２切換手段と前記第４切換手段と前記第５切換手段とは単一の第２切換スイッチによって構成されていることを特徴とする請求項３記載の発光回路。
【請求項６】
前記駆動電流供給手段は、前記第１ダイオード素子の前記接続点とは反対側の一端から前記駆動電流を供給する電流源と、前記有機エレクトロルミネッセンス素子の前記接続点とは反対側の一端を第３電位に等しくさせる電位固定手段と、前記駆動電流供給指令に応じて前記第２ダイオード素子の前記接続点とは反対側の一端を前記第３電位より高い第２電位に等しくさせる第１切換手段と、を有し、
前記駆動電流停止手段は、前記駆動電流停止指令に応じて前記第２ダイオード素子の前記接続点とは反対側の一端を前記第２電位より高い第１電位に等しくさせる第２切換手段を有し、
前記逆バイアス印加手段は、前記第２切換手段によって前記第２ダイオード素子の前記接続点とは反対側の一端が前記第１電位に等しくされているときに前記第２ダイオード素子の前記接続点とは反対側の一端を一時的に前記第３電位より低い基準電位に等しくさせる第３切換手段を有することを特徴とする請求項１記載の発光回路。
【請求項７】
前記駆動電流供給手段は、前記電流源による前記駆動電流の非供給時に前記第１ダイオード素子の前記接続点とは反対側の一端を前記基準電位に等しくさせるスイッチを有することを特徴とする請求項６記載の発光回路。
【請求項８】
前記第１切換手段ないし前記第３切換手段は単一の切換スイッチによって構成されていることを特徴とする請求項６記載の発光回路。
【請求項９】
各々が有機エレクトロルミネッセンス素子を含む複数の発光セルをマトリックス状に配置した表示パネルと、
入力画像データに応じて前記複数の発光セルのうちの発光させるべき発光セルを指定する発光セル指定手段と、
前記発光セル指定手段によって指定された発光セルの有機エレクトロルミネッセンス素子を発光させる発光駆動手段と、からなる表示装置であって、
前記発光セルは、前記有機エレクトロルミネッセンス素子と順方向極性を同一の方向にして直列に接続された第１ダイオード素子と、前記有機エレクトロルミネッセンス素子と前記第１ダイオード素子との接続点にて前記有機エレクトロルミネッセンス素子に対し前記第１ダイオード素子とは順方向極性を逆の方向にして接続された第２ダイオード素子と、を備え、
前記発光駆動手段は、前記発光セル指定手段によって指定された発光セルの前記有機エレクトロルミネッセンス素子と前記第１ダイオード素子との直列回路に順方向の駆動電流を供給する駆動電流供給手段と、前記指定された発光セルの指定が終了したときに前記駆動電流供給手段による前記駆動電流の供給を停止させて前記直列回路に前記有機エレクトロルミネッセンス素子及び前記第１ダイオード素子各々の順方向極性とは逆方向の電圧を印加する駆動電流停止手段と、前記駆動電流停止手段による前記逆方向の電圧を印加中において前記第２ダイオード素子の前記接続点とは反対側の一端の電位を一時的に変化させて前記有機エレクトロルミネッセンス素子と前記第２ダイオード素子との直列回路に前記有機エレクトロルミネッセンス素子の順方向極性とは逆方向の電圧を発生させる逆バイアス印加手段と、を備えたことを特徴とする表示装置。
【請求項１０】
前記発光セル指定手段は、前記表示パネルの複数のラインを順次走査することによって前記発光させるべき発光セルを指定することを特徴とする請求項９記載の表示装置。
【発明の詳細な説明】
【０００１】
【発明が属する技術分野】
本発明は、有機エレクトロルミネッセンス素子を用いた発光回路及び表示装置に関する。
【０００２】
【従来の技術】
容量性発光素子の１つである有機エレクトロルミネッセンス素子（以下、単にＥＬ素子という）は、電気的には、図１のような等価回路にて表すことができる。図１から分かるように、素子は、容量成分Ｃと、該容量成分に並列に結合するダイオード特性の成分Ｅとによる構成に置き換えることができる。よって、ＥＬ素子は、容量性の発光素子であると考えられる。ＥＬ素子は、直流の発光駆動電圧が電極間に印加されると、電荷が容量成分Ｃに蓄積され、続いて当該素子固有の障壁電圧または発光閾値電圧を越えると、電極（ダイオード成分Ｅの陽極側）から発光層を担う有機機能層に駆動電流が流れ始め、この電流に比例した強度で発光する。
【０００３】
かかる素子の電圧Ｖ−電流Ｉ−輝度Ｌの特性は、図２に示すように、ダイオードの特性に類似しており、発光閾値電圧Ｖth以下の電圧では電流Ｉは極めて小さく、発光閾値電圧Ｖth以上の電圧になると電流Ｉは急激に増加する。また、電流Ｉと輝度Ｌはほぼ比例する。このような素子は、発光閾値電圧Ｖthを超える駆動電圧を素子に印加すれば当該駆動電圧に応じた電流に比例した発光輝度を呈し、印加される駆動電圧が発光閾値電圧Ｖth以下であれば駆動電流が流れず発光輝度もゼロに等しいままである。
【０００４】
【発明が解決しようとする課題】
かかるＥＬ素子においては、発光を重ねて機能低下したＥＬ素子に順方向とは逆の電圧、すなわち逆バイアス電圧を時々印加すると、ＥＬ素子の機能が回復するというリフレッシュ作用があることが知られている。
一方、ＥＬ素子を発光駆動する発光回路においては、ＥＬ素子に直列にダイオードを接続してＥＬ素子にそのダイオードを介して駆動電流を供給すると、駆動電流によってＥＬ素子の容量成分に蓄積された電荷によって駆動電流の供給停止後も若干期間だけＥＬ素子の発光が継続することも既に公知である。この技術は複数のＥＬ素子をマトリックス状に配置した、特にライン数が多い表示パネルをライン走査して駆動する表示装置においてライン毎の走査期間が短い場合にＥＬ素子の平均輝度を向上させるために有効である。
【０００５】
しかしながら、ＥＬ素子に直列にダイオードを接続した構成の発光回路においては、ＥＬ素子に逆バイアス電圧を印加してリフレッシュ作用を与える構成にすることが難しいという問題があった。
そこで、本発明の目的は、平均輝度の向上のためにダイオードが直列に接続されたＥＬ素子にリフレッシュ作用を比較的簡単な構成で与えることができるＥＬ素子の発光回路及び表示装置を提供することである。
【０００６】
【課題を解決するための手段】
本発明のＥＬ素子の発光回路は、有機エレクトロルミネッセンス素子を発光させる発光回路であって、有機エレクトロルミネッセンス素子と順方向極性を同一の方向にして直列に接続された第１ダイオード素子と、有機エレクトロルミネッセンス素子と第１ダイオード素子との接続点にて有機エレクトロルミネッセンス素子に対し第１ダイオード素子とは順方向極性を逆の方向にして接続された第２ダイオード素子と、駆動電流供給指令に応じて有機エレクトロルミネッセンス素子と第１ダイオード素子との直列回路に順方向の駆動電流を供給する駆動電流供給手段と、駆動電流停止指令に応じて駆動電流供給手段による駆動電流の供給を停止させて直列回路に有機エレクトロルミネッセンス素子及び第１ダイオード素子各々の順方向極性とは逆方向の電圧を印加する駆動電流停止手段と、駆動電流停止手段による逆方向の電圧を印加中において第２ダイオード素子の接続点とは反対側の一端の電位を一時的に変化させて有機エレクトロルミネッセンス素子と第２ダイオード素子との直列回路に有機エレクトロルミネッセンス素子の順方向極性とは逆方向の電圧を発生させる逆バイアス印加手段と、を備えたことを特徴としている。
【０００７】
また、本発明の表示装置は、各々が有機エレクトロルミネッセンス素子を含む複数の発光セルをマトリックス状に配置した表示パネルと、入力画像データに応じて複数の発光セルのうちの発光させるべき発光セルを指定する発光セル指定手段と、発光セル指定手段によって指定された発光セルの有機エレクトロルミネッセンス素子を発光させる発光駆動手段と、からなる表示装置であって、発光セルは、有機エレクトロルミネッセンス素子と順方向極性を同一の方向にして直列に接続された第１ダイオード素子と、有機エレクトロルミネッセンス素子と第１ダイオード素子との接続点にて有機エレクトロルミネッセンス素子に対し第１ダイオード素子とは順方向極性を逆の方向にして接続された第２ダイオード素子と、を備え、発光駆動手段は、発光セル指定手段によって指定された発光セルの有機エレクトロルミネッセンス素子と第１ダイオード素子との直列回路に順方向の駆動電流を供給する駆動電流供給手段と、指定された発光セルの指定が終了したときに駆動電流供給手段による駆動電流の供給を停止させて直列回路に有機エレクトロルミネッセンス素子及び第１ダイオード素子各々の順方向極性とは逆方向の電圧を印加する駆動電流停止手段と、駆動電流停止手段による逆方向の電圧を印加中において第２ダイオード素子の接続点とは反対側の一端の電位を一時的に変化させて有機エレクトロルミネッセンス素子と第２ダイオード素子との直列回路に有機エレクトロルミネッセンス素子の順方向極性とは逆方向の電圧を発生させる逆バイアス印加手段と、を備えたことを特徴としている。
【０００８】
【発明の実施の形態】
以下、本発明の実施例を図面を参照しつつ詳細に説明する。
図３は本発明を適用した表示装置の構成を示している。この表示装置は、表示パネル１１、表示制御回路１２、走査逆バイアス回路１３、及び駆動電流供給回路１４を有する。
【０００９】
表示パネル１１は、図３に示すように、列方向の駆動線Ａ１〜Ａｍ及び行方向（ライン方向）の走査線Ｂ１〜Ｂｎがマトリックス状に配置され、その駆動線Ａ１〜Ａｍ及び走査線Ｂ１〜Ｂｎによる複数の交差位置各々に発光セル２０１，１〜２０ｍ，ｎが設けられている。表示パネル１１には、走査線Ｂ１〜Ｂｎ各々と平行に逆バイアス線Ｃ１〜Ｃｎが設けられている。
【００１０】
発光セル２０1,1〜２０m,nは全て同一の構成からなる。発光セル２０1,1について説明すると、ＥＬ素子２１及び２つのダイオード２２，２３が備えられている。ダイオード２２のアノードは駆動線Ａ1に接続され、カソードはＥＬ素子２１の陽極及びダイオード２３のアノードに接続されている。ＥＬ素子２１の陰極は走査線Ｂ１に接続され、ダイオード２３のカソードは逆バイアス線Ｃ１に接続されている。
【００１１】
表示制御回路１２は、入力される画像データに応じて走査信号、駆動制御信号及びバイアス制御信号を生成する。走査信号は１フレームの期間において走査線Ｂ1〜Ｂnのうちの１走査線を順次選択する信号である。駆動制御信号は１走査線に対応した発光セルのＥＬ素子のうちの画像データに応じて発光させるべきＥＬ素子に対応した駆動線Ａ１〜Ａｍのうちの駆動線への駆動電流の供給を指令する信号である。バイアス制御信号は走査信号による走査タイミングに遅れて逆バイアス線Ｃ１〜Ｃｎのうちの１バイアス線を選択して１逆バイアス線に対応した発光セルのＥＬ素子への逆バイアス電圧印加を指令する信号である。走査信号及びバイアス制御信号は走査逆バイアス回路１３に供給され、駆動制御信号は駆動電流供給回路１４に供給される。
【００２０】
走査逆バイアス回路１３は、逆バイアス用切換スイッチ４１１〜４１ｎと走査用切換スイッチ４２１〜４２ｎとを備え、走査線Ｂ１〜Ｂｎ及び逆バイアス線Ｃ１〜Ｃｎに接続されている。逆バイアス用切換スイッチ４１１〜４１ｎは逆バイアス線Ｃ１〜Ｃｎに対応して設けられており、バイアス制御信号に応じて電位Ｖcc1、電位Ｖcc2及びアース電位のうちのいずれか１の電位を選択的に対応する逆バイアス線Ｃ１〜Ｃｎに供給する。走査用切換スイッチ４２１〜４２ｎは走査線Ｂ１〜Ｂｎに対応して設けられており、走査信号に応じて電位Ｖcc3とアース電位とのいずれか一方を選択的に対応する走査線Ｂ１〜Ｂｎに供給する。なお、Ｖcc1＞Ｖcc2＞Ｖcc3であり、Ｖcc1−Ｖcc2＝Ｖcc3の関係がある。
【００２１】
駆動電流供給回路１４は電流源３３１〜３３ｍ及びスイッチ４３１〜４３ｍを備え、駆動線Ａ１〜Ａｍに接続されている。電流源３３１〜３３ｍは駆動制御信号に応じて駆動電流を駆動線Ａ１〜Ａｍのいずれかに供給する。スイッチ４３１〜４３ｍは駆動制御信号に応じて駆動線Ａ１〜Ａｍをアース電位に等しくさせる。
かかる図３の構成の表示装置において、表示制御回路１２によって発光セル２０１，１のＥＬ素子２１が発光駆動される場合の動作について図４を参照しつつ説明する。なお、この説明に当たって、図３に示すようにダイオード２２のアノード電位（駆動線Ａ１の電位）をａ、ＥＬ素子２１の陰極電位（走査線Ｂ１の電位）をｂ、ダイオード２３のカソード電位（逆バイアス線Ｃ１の電位）をｃ、ＥＬ素子２１の陽極電位をｄとする。
ＥＬ素子２１の発光の場合には発光セル２０１，１の動作モードとしては、図４に示すように、発光セル２０１，１〜２０ｍ，１のラインが走査された走査モードと、その走査が終了した直後にＥＬ素子２１の発光を維持させる発光継続モードと、ＥＬ素子２１に逆バイアス電圧を印加する逆バイアス印加モードとがある。
【００２２】
走査モードにおいては、表示制御回路１２からの走査信号に応じて逆バイアス用切換スイッチ４１1及び走査用切換スイッチ４２1が切り換え動作を行い、逆バイアス用切換スイッチ４１1によって電位Ｖcc2が逆バイアス線Ｃ１に中継され、走査用切換スイッチ４２1によってアース電位が走査線Ｂ１に中継される。これらの中継動作と同時にＥＬ素子２１の発光のために表示制御回路１２からの駆動制御信号に応じて電流源３３1が作動して駆動電流を駆動線Ａ１に供給し、スイッチ４３1がオフとなる。
【００２３】
ダイオード２２がオンとなるので、電流源３３1からの駆動電流は、駆動線Ａ１、ダイオード２２、ＥＬ素子２１、走査線Ｂ１、そして切換スイッチ４２1を介してアースに流れ込む。このように駆動電流が流れることによってＥＬ素子２１は発光する。また、駆動電流はＥＬ素子２１の容量成分を充電させる。
駆動線Ａ１の電位ａは例えば、約１０Ｖとなり、走査線Ｂ１の電位ｂはアース電位である０Ｖとなり、逆バイアス線Ｃ１の電位ｃはＶcc2となり、ＥＬ素子２１の陽極電位ｄは約７Ｖとなる。Ｖcc1＞Ｖcc2＞７Ｖであるので、ダイオード２３は逆バイアス状態であり、ダイオード２３の空之層容量に電荷が蓄電される。
【００２４】
次に、走査線Ｂ１に割り当てられた走査時間が経過すると、発光維持モードとなる。発光維持モードでは、上記の表示制御回路１２からの走査信号及び駆動制御信号の内容が変化し、走査線Ｂ１の走査が終了して選択走査線が走査線Ｂ２に移行する。これにより逆バイアス用切換スイッチ４１1及び走査用切換スイッチ４２1が切り替え動作を行う。逆バイアス用切換スイッチ４１1によって電位Ｖcc1が逆バイアス線Ｃ１に中継され、走査用切換スイッチ４２1によって電位Ｖcc3が走査線Ｂ１に中継される。同時に、電流源３３1は駆動電流の駆動線Ａ１への供給を停止しかつスイッチ４３1がオンするか、或いは他の選択走査線と駆動線Ａ１との交差位置の発光セルのＥＬ素子の発光のために駆動電流を駆動線Ａ１に供給しかつスイッチ４３1がオフする。
【００２５】
発光維持モードでは、駆動電流の駆動線Ａ１への供給を停止した場合には駆動線Ａ１の電位ａは０Ｖとなり、走査線Ｂ１の電位ｂはＶcc3に上昇し、逆バイアス線Ｃ１の電位ｃはＶcc1に上昇する。ＥＬ素子２１には容量成分の蓄電電荷が存在し、ダイオード２３の空之層容量にも蓄電電荷が存在するので、その蓄電電荷がＥＬ素子２１のダイオード成分に順方向の電流となって流れ、ＥＬ素子２１の発光を継続させる。よって、ＥＬ素子２１の陽極電位ｄは約Ｖcc3＋７Ｖとなる。ＥＬ素子２１は、蓄電電荷の減少によってＥＬ素子２１の順方向電圧が発光閾値電圧Ｖth（例えば、３Ｖ）を下回ると発光を停止し、発光維持モードは終了する。
【００２６】
次いで、表示制御回路１２からのバイアス制御信号が生成すると、逆バイアス印加モードとなる。逆バイアス印加モードでは、走査逆バイアス回路１３においては、バイアス制御信号に応じて表示制御回路１２からのバイアス制御信号に応じて逆バイアス用切換スイッチ４１1が切り換え動作を行い、電位Ｖcc1に代えてアース電位０Ｖを逆バイアス線Ｃ１に供給する。この時点では、ＥＬ素子２１の陽極電位ｄは、走査線Ｂ１の電位ｂの電位Ｖcc3と残留電荷による電位とを加えた電位レベルであるので、ダイオード２３をオンさせる。ダイオード２３のオンにより陽極電位ｄはダイオード２３のオン電圧に等しい電位Ｖf（例えば、１〜２Ｖ）に変化する。その陽極電位ｄは電位ｂの電位Ｖcc3より低いので、ＥＬ素子２１は逆バイアス状態となり、ＥＬ素子２１にはリフレッシュ作用が与えられる。
【００２７】
なお、走査線Ｂ１の走査のために表示制御回路１２からの走査信号に応じて逆バイアス用切換スイッチ４１1及び走査用切換スイッチ４２1が切り換え動作を行った場合であっても、ＥＬ素子２１が発光駆動されない走査モードであるならば、電流源３３1は不作動であり駆動電流を駆動線Ａ１に供給せず、またスイッチ４３1はオンとなる。このときの陽極電位ｄは約３Ｖとなる。
【００２８】
図５は本発明の他の実施例を更に示している。この図５の表示装置では、図３の装置における走査逆バイアス回路１３における走査用切換スイッチ４２１〜４２ｎが備えられておらず、走査線Ｂ１〜Ｂｎには電位Ｖcc3が常に印加されるように構成されている。その他の構成は図３の表示装置と同一である。
かかる図５の構成の表示装置において、表示制御回路１２によって発光セル２０１，１のＥＬ素子２１が発光駆動される場合の動作について図６を参照しつつ説明する。
【００２９】
走査モードにおいては、表示制御回路１２からの走査信号に応じて逆バイアス用切換スイッチ４１1が切り換え動作を行い、逆バイアス用切換スイッチ４１1によって電位Ｖcc2が逆バイアス線Ｃ１に中継される。この中継動作と同時にＥＬ素子２１の発光のために表示制御回路１２からの駆動制御信号に応じて電流源３３1が作動して駆動電流を駆動線Ａ１に供給し、スイッチ４３1がオフとなる。
【００３０】
ダイオード２２がオンとなるので、電流源３３1からの駆動電流は、駆動線Ａ１、ダイオード２２、ＥＬ素子２１、そして走査線Ｂ１を介して電位Ｖcc3の供給電源（図示せず）に流れ込む。このように駆動電流が流れることによってＥＬ素子２１は発光する。また、駆動電流はＥＬ素子２１の容量成分を充電させる。駆動線Ａ１の電位ａは例えば、Ｖcc3＋１０Ｖとなり、ＥＬ素子２１の陽極電位ｄは約Ｖcc3＋７Ｖとなる。Ｖcc1＞Ｖcc3＋７Ｖであるので、ダイオード２３は逆バイアス状態であり、ダイオード２３の空之層容量に電荷が蓄電される。
【００３１】
次に、走査線Ｂ１に割り当てられた走査時間が経過すると、上記の表示制御回路１２からの走査信号及び駆動制御信号の内容が変化し、走査線Ｂ１の電位はＶcc3のままであるが、選択走査線が走査線Ｂ２に移行する。これにより発光維持モードとなり、逆バイアス用切換スイッチ４１1が切り替え動作を行う。逆バイアス用切換スイッチ４１1によって電位Ｖcc1が逆バイアス線Ｃ１に中継される。同時に、電流源３３1は駆動電流の駆動線Ａ１への供給を停止しかつスイッチ４３1がオンするか、或いは他の選択走査線と駆動線Ａ１との交差位置の発光セルのＥＬ素子の発光のために駆動電流を駆動線Ａ１に供給しかつスイッチ４３1がオフする。
【００３２】
発光維持モードでは、駆動電流の駆動線Ａ１への供給を停止した場合には駆動線Ａ１の電位ａは０Ｖとなり、逆バイアス線Ｃ１の電位ｃはＶcc1に上昇する。ＥＬ素子２１には容量成分の蓄電電荷が存在し、ダイオード２３の空之層容量にも蓄電電荷が存在するので、その蓄電電荷がＥＬ素子２１のダイオード成分に順方向の電流となって流れ、ＥＬ素子２１の発光を継続させる。
【００３３】
ＥＬ素子２１の蓄電容量Cellとダイオード２３の蓄電容量Cd23の両容量の作用により、ＥＬ素子２１の陽極電位ｄはＶγ＝Ｖcc1×Cd23／(Cd23+Cell)だけ電位上昇する。ＥＬ素子２１は、蓄電電荷の減少によってＥＬ素子２１の順方向電圧が発光閾値電圧Ｖth（例えば、３Ｖ）を下回ると発光を停止し、発光維持モードは終了する。
【００３４】
なお、ＥＬ素子２１の発光維持時の陽極電位ｄをＶγ＝Ｖcc3＋Ｖαとすると、次の走査線Ｂ１の選択時にＥＬ素子２１が発光駆動される場合に陽極電位ｄはＶcc3＋Ｖα−Ｖγとなる。Ｖαは約７Ｖである。
次いで、表示制御回路１２からのバイアス制御信号が生成されると、逆バイアス印加モードとなる。逆バイアス印加モードでは、図３の装置と同様に、走査逆バイアス回路１３においては、バイアス制御信号に応じて逆バイアス用切換スイッチ４１１が切り換え動作を行い、電位Ｖcc1に代えてアース電位０Ｖを逆バイアス線Ｃ１に供給する。この時点では、ＥＬ素子２１の陽極電位ｄは、走査線Ｂ１の電位ｂの電位Ｖcc3と残留電荷による電位とを加えた電位レベルであるので、ダイオード２３をオンさせる。ダイオード２３のオンにより陽極電位ｄはダイオード２３のオン電圧に等しい電位（例えば、１〜２Ｖ）に変化する。その陽極電位ｄは電位ｂの電位Ｖcc3より低いので、ＥＬ素子２１は逆バイアス状態となり、ＥＬ素子２１にはリフレッシュ作用が与えられる。
【００３５】
なお、走査線Ｂ１の走査のために表示制御回路１２からの走査信号に応じて逆バイアス用切換スイッチ４１1が切り換え動作を行った場合であっても、ＥＬ素子２１が発光駆動されない走査モード時であるならば、電流源３３1は不作動であり駆動電流を駆動線Ａ１に供給せず、またスイッチ４３1はオンとなる。ＥＬ素子２１の陽極電位ｄはＶcc3＋Ｖα−Ｖγとなるが、Ｖαは約３Ｖである。
【００３６】
上記した各実施例においては、１画素に対して１つの発光セルが示されているが、カラー表示のマトリックス型表示パネルにおいては１画素に対して３つの発光セル、すなわち赤発光セル、緑発光セル及び青発光セルが形成される。
また、上記した実施例において、表示制御回路１２からのバイアス制御信号の供給は走査毎に行う必要はない。例えば、所定の走査回数毎に１回だけバイアス制御信号を供給するようにしても良い。
【００３７】
更に、上記した各実施例においては、発光セル２０1,1の動作について説明したが、他の発光セル２０1,2〜２０m,n各々の動作についても発光セル２０1,1の場合と同様である。
【００３８】
【発明の効果】
以上の如く、本発明によれば、平均輝度の向上のためにダイオードが直列に接続されたＥＬ素子にリフレッシュ作用を比較的簡単な構成で与えることができる。
【図面の簡単な説明】
【図１】  ＥＬ素子の等価回路を示す図である。
【図２】  ＥＬ素子の駆動電圧−電流−発光輝度特性を概略的に示す図である。
【図３】  本発明の実施例を示すブロック図である。
【図４】  図３の発光セルの各点の各動作モードにおける電位を示す図である。
【図５】  本発明の他の実施例を示すブロック図である。
【図６】  図５の発光セルの各点の各動作モードにおける電位を示す図である。
【符号の説明】
１１  表示パネル
１２  表示制御回路
１３  走査逆バイアス回路
１４  駆動電流供給回路
２０１，１〜２０ｍ，ｎ  発光セル
２１  ＥＬ素子
【図１】
0004185288.tif 000002
【図２】
0004185288.tif 000003
【図３】
0004185288.tif 000004
【図４】
0004185288.tif 000005
【図５】
0004185288.tif 000006
【図６】
0004185288.tif 000007